(57)【特許請求の範囲】
【請求項１】
ネットワークを介して接続されたサーバから車両に情報を提供する情報提供システムにおいて、
前記車両は、目的地を入力する目的地入力手段と、
前記目的地にある施設に対応づけて、ユーザの嗜好の程度を示す嗜好値を記憶した目的地履歴記憶手段と、
前記施設に対するユーザの嗜好を検出して前記嗜好値を増減する嗜好値設定手段と、
前記嗜好値が高い順に所定数の前記施設の施設リストを作成する施設リスト作成手段と、
前記施設リストを前記サーバに送信するデータ送信手段と、を有し、
前記サーバは、
前記施設リストを受信するデータ受信手段と、
前記施設が提供するイベント内容を含む施設情報を記憶する施設情報記憶手段と、
前記施設リストに基づき前記施設情報記憶手段から抽出した前記施設情報を前記車両に送信する送信部とを有し、
前記車両は、前記サーバから送信された前記施設情報が更新されているか否かを判断する判断部を有し、
前記施設情報が更新されている前記施設のうち前記嗜好値が高いものから順に前記施設情報を表示手段に表示し、
前記嗜好値設定手段は、前記目的地の最後まで案内を実施した場合に前記嗜好値を増加させ、また、前記表示手段に表示された前記施設情報の施設が前記目的地入力手段から目的地として入力されるか否かに応じて、当該施設の前記嗜好値を増減する、
ことを特徴とする情報提供システム。
【請求項２】
前記嗜好値設定手段は、前記目的地の入力回数が多いほど前記施設の前記嗜好値を増大し、入力された日が過去の前記施設ほど前記嗜好値を減少させる、
ことを特徴とする請求項１記載の情報提供システム。
【請求項３】
前記嗜好値設定手段は、
前記表示手段に表示された前記施設情報の施設を拒否された場合、前記嗜好値を減少させる、ことを特徴とする請求項１記載の情報提供システム。
【請求項４】
前記判断部は、前記施設を前記目的地に設定した日付と前記施設で開催されるイベントの開催期間とに基づき、前記施設情報が更新されているか否かを判断する。
ことを特徴とする請求項１記載の情報提供システム。
【請求項５】
前記目的地履歴記憶手段は、前記施設のジャンル情報を施設毎に記憶しており、
前記嗜好値設定手段は、同じジャンルの前記施設の前記嗜好値をリンクして増減する、
ことを特徴とする請求項１記載の情報提供システム。
【請求項６】
前記嗜好値設定手段は、前記目的地入力手段により駐車場が前記目的地に設定された場合、設定された前記駐車場と提携した前記施設を地図データから抽出し、該施設の前記嗜好値を増大させる、
ことを特徴とする請求項１記載の情報提供システム。
【請求項７】
ネットワークを介して接続されたサーバから提供された施設情報を表示する車両のナビゲーションシステムにおいて、
目的地を入力する目的地入力手段と、
前記目的地にある施設に対応づけて、ユーザの嗜好の程度を示す嗜好値を記憶した目的地履歴記憶手段と、
前記施設に対するユーザの嗜好を検出して前記嗜好値を増減する嗜好値設定手段と、
前記嗜好値が高い順に所定数の前記施設の施設リストを作成する施設リスト作成手段と、
前記施設リストを前記サーバに送信するデータ送信手段と、
前記サーバが前記施設リストに基づき、前記施設が提供するイベント内容を含む施設情報を記憶する施設情報記憶手段から抽出した前記施設情報を受信して、前記施設情報が更新されているか否かを判断する判断部と、を有し、
前記施設情報が更新されている前記施設のうち前記嗜好値が高いものから順に前記施設情報を表示手段に表示し、
前記嗜好値設定手段は、前記目的地の最後まで案内を実施した場合に前記嗜好値を増加させ、また、前記表示手段に表示された前記施設情報の施設が前記目的地入力手段から目的地として入力されるか否かに応じて、当該施設の前記嗜好値を増減する、
ことを特徴とするナビゲーションシステム。
【発明の詳細な説明】
【技術分野】
【０００１】
本発明は、ユーザに情報を提供する情報提供システム、ナビゲーションシステムに関し、特に、ネットワークを介して接続されたサーバから情報を取得してユーザに提供する情報提供システム、ナビゲーションシステムに関する。
【背景技術】
【０００２】
ユーザが車両により目的地に向けて移動している間、車両に搭載されたナビゲーションシステムが、車両の現在位置に応じて近くにある飲食店や観光情報を自動的に提供する情報提供システムが提案されている（例えば、特許文献１参照。）。
【０００３】
また、同じ位置を走行していてもユーザ毎の嗜好が異なるため、ユーザ毎にユーザの好みのイベント情報を登録しておく情報提供装置が提案されている（例えば、特許文献２参照。）。イベント情報を予め登録しておくので、所望のイベントを選択するだけでイベントの開催場所までの経路等を表示することができるため、例えば定期的に開催されるが開催場所が不定のイベントの場所等をサーバから取得してユーザに提供することができる。
【特許文献１】特開２００４−１９９２８３号公報
【特許文献２】特開２００３−３３７８５０号公報
【発明の開示】
【発明が解決しようとする課題】
【０００４】
しかしながら、特許文献２記載の情報提供装置では、ユーザが登録しない限り情報提供可能なイベントが増えることがないため、ユーザの嗜好が変わったり所望のイベントが増えたりした場合にユーザの嗜好を迅速に反映することができないという問題がある。
【０００５】
すなわち、このような情報提供システムでは、車両の現在位置のみに基づいて情報を提供したのではユーザの嗜好に沿ったものとならず、過去の設定のみに基づいて情報を提供したのではユーザの嗜好の変化に対応することが困難となる。
【０００６】
本発明は、上記課題に鑑み、ユーザの嗜好の変化に対応して車両から情報を提供することができる情報提供システム及びナビゲーションシステムを提供することを目的とする。
【課題を解決するための手段】
【０００７】
上記課題を解決するため、本発明は、ネットワークを介して接続されたサーバから車両に情報を提供する情報提供システムにおいて、前記車両は、目的地を入力する目的地入力手段と、前記目的地にある施設に対応づけて、ユーザの嗜好の程度を示す嗜好値を記憶した目的地履歴記憶手段と、前記施設に対するユーザの嗜好を検出して前記嗜好値を増減する嗜好値設定手段（例えば、嗜好値計算部１２）と、前記嗜好値が高い順に所定数の前記施設の施設リストを作成する施設リスト作成手段と、前記施設リストを前記サーバに送信するデータ送信手段と、を有し、前記サーバは、前記施設リストを受信するデータ受信手段と、前記施設が提供するイベント内容を含む施設情報を記憶する施設情報記憶手段と、前記施設リストに基づき前記施設情報記憶手段から抽出した前記施設情報を前記車両に送信する送信部とを有し、前記車両は、前記サーバから送信された前記施設情報が更新されているか否かを判断する判断部を有し、前記施設情報が更新されている前記施設のうち前記嗜好値が高いものから順に前記施設情報を表示手段に表示し、前記嗜好値設定手段は、前記目的地の最後まで案内を実施した場合に嗜好値を増加させ、また、前記表示手段に表示された前記施設情報の施設が前記目的地入力手段から目的地として入力されるか否かに応じて、当該施設の前記嗜好値を増減する、ことを特徴とする。
【発明の効果】
【０００８】
ユーザの嗜好の変化に対応して車両から情報を提供することができる情報提供システム及びナビゲーションシステムを提供することができる。
【発明を実施するための最良の形態】
【０００９】
以下、本発明を実施するための最良の形態について、添付図面を参照しながら実施例を挙げて説明する。
【００１０】
図１は、本実施の形態に係る情報提供システムの全体構成図を示す。情報提供システムは、車両４からユーザが嗜好する施設のリストをサーバ２に送信して、サーバ２からそのリストに載っている施設の施設情報を車両４に送信する。ユーザが嗜好する施設かどうかを、目的地の設定の度に増減することでユーザの嗜好の変化に迅速に対応してユーザが嗜好する施設の情報を提供する。
【００１１】
サーバ２は、インターネット等のネットワーク１に接続されている。また、車両４のナビゲーションシステム（以下、単にナビシステムという）１０は、ネットワーク１に接続された基地局３と無線又は有線で通信可能に構成されている。通信方式の形態は、例えば、基地局３からサーバ２までは公衆電話交換網(PSTN)やデジタル通信ネットワーク（ISDN）、光ファイバ等の有線で接続され、基地局３から車両４までは携帯電話網、ＰＨＳ（Personal  Handy-phone  System）網、無線ＬＡＮ、ＷｉＭＡＸ（Worldwide  Interoperability  for  Microwave  Access）、衛星電話、ビーコン等の無線で接続される。データの送受信には例えばＴＣＰ（Transmission  Control  Protocol）/ＩＰ（Ｉｎｔｅｒｎｅｔ  Ｐｒｏｔｏｃｏｌ）等のプロトコルと上位互換であるＨＴＴＰ（Hyper  Text  Transfer  Protocol）やＦＴＰ（Ｆｉｌｅ  Ｔｒａｎｓｆｅｒ  Ｐｒｏｔｏｃｏｌ）、ＭＩＭＥ（Multipurpose  Internet  Mail  Extension）等のプロトコルが使用される。
【００１２】
図２（ａ）はナビシステム１０のブロック図を示す。ナビシステム１０は、ナビシステムを制御するナビＥＣＵ（Ｅｌｅｃｔｒｏｎｉｃ  Ｃｏｎｔｒｏｌ  Ｕｎｉｔ）１００、ＧＰＳ（Ｇｌｏｂａｌ  Ｐｏｓｉｔｉｏｎｉｎｇ  Ｓｙｓｔｅｍ）衛星からの電波を受信するＧＰＳ受信機１２０、ユーザからの操作を入力するための入力装置１３０、後述の目的地履歴１４１や道路地図１４２、ユーザ認証情報等を記憶しておく記憶装置１４０、電子地図や施設情報を表示するための表示装置１５０を有する。
【００１３】
ナビＥＣＵ１００は、プログラムを実行するＣＰＵ（Central  Processing  Unit）、プログラムを記憶するＲＯＭ（Read  Only  Memory）、データやプログラムを一時的に記憶するＲＡＭ（Random  Access  Memory）、電源を切っても保持しておく情報を記憶するＮＶ−ＲＡＭ（Non-Volatile  ＲＡＭ）、他のＥＣＵと通信する通信部、データを入出力する入出力インターフェイス等がバスにより接続されたマイコンとして構成される。
【００１４】
ＧＰＳ受信機１２０は、所定の軌道を周回する複数のＧＰＳ衛星のうち現在の車両の位置から所定の仰角に入るＧＰＳ衛星を好ましくは４つ以上選択し、それらのＧＰＳ衛星から発信される電波を受信する。なお、位置を測位するための電波を衛星からでなく、位置の知られた地上の基地局が受信してもよい。
【００１５】
ＧＰＳ衛星が発信する電波は、搬送波を衛星毎に固定の疑似ランダム符号により変調されているので、ＧＰＳ受信機１２０は、選択したＧＰＳ衛星の疑似ランダム符号を生成して、受信される電波の復調するとともに、疑似ランダム符号のコードレプリカを生成し、その位相差に基づき電波の到達時間を算出する。到達時間に光速ｃを乗じると捕捉したＧＰＳ衛星までの距離となるので、４つの衛星との距離が地上で一点（理想的には）に交わる位置を車両の現在位置（緯度、経度、標高）としてナビＥＣＵ１００に出力される。なお、ナビＥＣＵ１００は、車速センサ及びジャイロセンサを用いて自律航法によりさらに自車両の位置を高精度に推定すると共に、道路地図に推定した自車両の位置を対応づけるマップマッチング法により、地図上に表示する自車両の位置を高精度に決定する。
【００１６】
通信ユニット１１０は、携帯電話網や無線ＬＡＮに接続してデータを搬送する電波を変調及び復調し、サーバ２との間でデータを送受信する。
【００１７】
入力装置１３０は、押下式のキーボード、ボタン、リモコン、十字キー、タッチパネル等により構成され、運転者や乗員からの操作を受け付ける。また、マイクを備え運転者の発する音声を音声認識回路で認識することで操作を入力してもよい。例えば、目的地は、住所、郵便番号、電話番号、ランドマーク名等により設定できる。
【００１８】
表示装置１５０は、液晶や有機ＥＬ、ＨＵＤ（Head  Up  Display）等であり、施設情報、操作メニュー、交通情報、道路地図、目的地までのルート等を表示する。また、表示装置２８にタッチパネルを設け、入力装置１３０の一部として用いることができる。施設情報や経路案内は音声などのスピーカから出力してもよい。表示装置１５０やスピーカは、その他テレビやラジオなどのメディアや音楽プレーヤ、ＤＶＤ（Digital  Versatile  Disk）プレーヤの出力にも使用される。
【００１９】
記憶装置１４０は例えば、ハードディスク、書き換え型ＤＶＤ、フラッシュメモリ等の記録媒体により構成される。記録装置１４０には道路地図１４２が記憶されており、道路網や交差点などの道路地図情報が、緯度・経度に対応づけて格納されている。道路地図は、実際の道路網をノード(道路と道路が交差する点、すなわち交差点)及びリンク(ノードとノードを接続する道路)に対応づけて、テーブル状のデータベースとして構成される。また、記憶装置１４０にはナビシステム１０において設定された目的地が記憶された後述の目的地履歴１４１が格納されている。
【００２０】
図２（ｂ）はサーバ２のブロック図を示す。サーバ２はＣＰＵ２１０を備えており、このＣＰＵ２１０に、ＢＩＯＳなどを記憶した読出し専用メモリであるＲＯＭ２２０と、各種データを書換え可能に記憶してＣＰＵ２１０の作業エリアとして機能するＲＡＭ２３０と、パラメータなどを記憶するＮＶ−ＲＡＭと、がバス２９０で接続されており、コンピュータを構成している。さらにバス２９０には、ＯＳ（Ｏｐｅｒａｔｉｎｇ  Ｓｙｓｔｅｍ）やプログラム、ファイルが記憶された例えばＨＤＤの記憶装置２４０と、記憶媒体２８０を読み取るドライブ装置２５０と、ネットワーク１に接続するためのＮＩＣ（Ｎｅｔｗｏｒｋ  Ｉｎｔｅｒｆａｃｅ  Ｃａｒｄ）２６０とが接続されている。なお、記憶媒体２８０は、ＣＤ−ＲＯＭ、ＤＶＤなどの各種の光ディスク、各種光磁気ディスク、半導体メモリ等、各種方式のメディアを用いることができる。
【００２１】
記憶装置２４０には、種々の施設の情報として後述する施設情報２４１が記憶されている。なお、施設とは、公園、アミューズメント施設、名所、自然地形、温泉、水族館、遊園地、テーマパーク、博物館、歴史建造物、デパート、飲食店、レジャーランド、観光スポット、野球場、サッカー場、コンサート、フリーマーケット等、車両で目的地とする場合がある全ての対象をいい、車両が駐停車するか否かは問わず、単に通過するだけでもよい。また、施設は目的地の位置に存在する地物であるが、目的地と施設とが一致する場合もある。
【００２２】
図３はナビＥＣＵ１００及びサーバ２の機能図を示す。ナビＥＣＵ１００は、起動処理部１１、嗜好値計算部１２、施設リスト作成部１３、データ送信部１４、データ受信部１５及び判断部１６とを有する。
【００２３】
ナビＥＣＵ１００のＣＰＵがＲＯＭ又は記憶装置１４０に格納されたプログラムを実行すると、起動処理部１１、嗜好値計算部１２、施設リスト作成部１３、データ送信部１４、データ受信部１５及び判断部１６が実現される。
【００２４】
起動処理部１１はナビシステム１０の電源ONによる起動を監視する。電源ONを検知した場合、起動処理部１１は、ユーザにおすすめの施設を提案するために、嗜好値計算部１２へ処理開始を通知する。
【００２５】
嗜好値計算部１２は、目的地履歴１４１から目的地に設定された各施設の嗜好値を算出し、嗜好値の高い施設の上位数件を施設リスト作成部１３へ通知する。嗜好値とは、当該施設をユーザが嗜好する程度であり大きいほどユーザが嗜好する可能性が高いことを示す。
【００２６】
嗜好値計算部１２は、以下のような嗜好値の増減要因に基づき嗜好値を算出する。
（ａ）目的地に設定された場合に嗜好値を増加させる
（ｂ）目的地の最後まで案内を実施した場合に嗜好値を増加させる
（ｃ）案内の途中で目的地を削除された場合に嗜好値は減少させる
（ｄ）目的地履歴の施設情報は一定期間経過毎に嗜好値は減少（古い順に減少大）させる
（ｅ）提案時にユーザが「提案された施設へ行く」を選択した場合に嗜好値は増加させる
（ｆ）提案時にユーザが「提案された施設へ行かない」を選択した場合に嗜好値は減少させる
（ｇ）提案時にユーザが「次回行く」を選択した場合に嗜好値は減少（（ｆ）よりは少なめに減少）させる
（ｈ）・所定のジャンルの施設（遊園地や映画館等）を選択した場合には、目的地履歴１４１の同じジャンルの施設ついても嗜好値を増加させる（（ａ）より増加量を小さくする。）。
・施設と提携する駐車場を目的地として設定した場合、当該施設について嗜好値を増加させる（（ａ）より増加量を小さくする。）。
【００２７】
嗜好値計算部１２はこのような要因に基づき嗜好値を「−AAA〜＋ZZZ」までの範囲で変化させて、嗜好値がある一定の値以上の施設をユーザが嗜好する可能性が高いと判定して施設リスト作成部１３へ通知する。
【００２８】
ａ）〜ｈ）の各嗜好値の増減値は設計事項であるが、例えば各増減値をＡ〜Ｈ（いずれも正の値）とした場合、増加させる場合の増加量は次のように、
増加量  ：  Ａ  ＞  Ｅ  ＞  Ｂ  ＞  Ｈ
減少量は次のようになる。
減少量  ：  ｜−Ｆ｜  ＞  ｜−Ｄ｜  ＞  ｜−Ｃ｜  ＞  ｜−Ｇ｜
施設リスト作成部１３は、嗜好値計算部１２から渡された嗜好値の高い施設の上位数件の施設リストを作成する。作成した施設リストはデータ送信部１４へ送出される。
【００２９】
データ送信部１４は、通信ユニット１１０を使用して、施設リスト作成部１３が作成した施設リストをサーバ２へ送信する。
【００３０】
データ受信部１５は、サーバ２側に送信した施設リストに基づきサーバ２が抽出した施設情報を、通信ユニット１１０を使用して受信する。また、受信した施設情報を判断部１６へ送出する。
【００３１】
判断部１６は、サーバ２から送信された施設情報に変化があったもの（更新されたもの）があるか否かを判定し、施設情報に変化がある場合には変化のあった施設情報から嗜好値の一番高い施設の施設情報を表示装置１５０へ送信する。なお、嗜好値の上位数件の施設リストをそのまま表示するように施設リストを表示装置１５０へ送出してもよい。
【００３２】
更新されたか否かは、例えば、最後に目的地に設定した日の後にその施設に所定のイベント（映画、アトラクション等）の開催期間が設定さているか否かに基づき判定される。最後に目的地に設定した日の後に開催期間が設定されている施設は、ユーザが嗜好する可能性が高く、かつ、そのイベントが更新されていることを示す。このような施設の施設情報を表示することで、イベントに行くことを忘れていたユーザにとって有益である。更新されたか否かは、送信される施設情報を所定期間記憶しておき、更新情報同士を比較して判断してもよい。
【００３３】
表示装置１５０は、通知された施設情報を表示して、ユーザにおすすめの施設を提案する。提案する際は、施設情報と共にユーザが表示された施設の評価を入力できるように、タッチパネルの画面に評価入力ボタンを表示したり、音声によりユーザの評価の入力を促す。
【００３４】
図４（ａ）は表示装置１５０に表示された施設情報及び評価入力ボタンの一例を示す。図４（ａ）では、映画館の施設情報と共に、「提案された施設へ行く」、「提案された施設へ行かない」、「次回行く」の3つの評価入力ボタンが表示されている。入力装置１３０を用いてユーザが３つの評価入力ボタンのいずれかを選択することでユーザの評価が入力される。
【００３５】
図４（ｃ）は記憶装置１４０に記憶された目的地履歴１４１の一例を示す図である。目的地履歴１４１は、目的地として設定された目的地の位置情報、目的地として設定された設定日、嗜好値計算部１２で計算された嗜好値等の情報を記憶している。図４（ｃ）では目的地の一例として「映画館Ａ」「映画館Ｂ」が記憶されている。なお、登録される目的地は、「行ったことがある」、「目的地として設定されたことがある」又は「目的地として提案されたことがある」場所をいい、すなわち必ずしも目的地まで行ったことは必要とされない。
【００３６】
初期状態の目的地履歴には何ら目的地を記憶せずユーザがナビシステム１０を使用するにつれ目的地と嗜好値が登録されるようにしてもよいし、例えばユーザへのアンケート結果を入力して、ユーザの嗜好に応じた初期の目的地を登録してもよい。
【００３７】
続いて、サーバ２の機能図について図３（ｂ）に基づき説明する。受信部２１は、ナビシステム１０から送信された施設リストをＮＩＣ２６０等の通信装置を用いて受信する。
【００３８】
取得部２３は、施設リストに記載されている各施設の情報を施設情報２４１から抽出する。図４（ｂ）は記憶装置２４０に記憶された施設情報２４１の一例を示す。施設情報２４１は、施設に対応づけて、施設の開催（開館）時間、イベント内容、開催場所等、施設を利用するための情報が記憶されている。例えば、施設が映画館の場合、上映する映画名、上映期間等であり、施設が遊園地の場合、アトラクション名、利用可能時間等である。
【００３９】
なお、施設情報２４１は定期的に、又は、ＲＳＳ（Rich  Site  Summery）のように更新の通知を受けて各施設の情報の更新を繰り返し、最新の情報を保っている。サーバ２は一台でなくてもよく、また、サーバ２が施設情報を検索する検索エンジンを有していてもよい。
【００４０】
送信部２２は、ＮＩＣ２６０等の通信装置を用いて施設情報をナビシステム１０へ送信する。
【００４１】
以上の構成を用いて、ナビＥＣＵ１００が嗜好値に基づきユーザの嗜好に合った施設を提案する手順を図５（ａ）のフローチャート図に基づき説明する。
【００４２】
なお、１台の車両を複数のユーザで利用することがあるので、乗車時にユーザ認証をしておくことが好適である。ユーザ認証は、静脈や指紋等の生体情報、パスワード入力等で行うことができる。
【００４３】
ナビシステム１０の電源がオンになると、起動処理部１１がナビＥＣＵ１００の初期化、現在位置の取得、地図データの読み込みなど、所定の初期設定を行う。そして、起動処理部１１は嗜好値に基づく目的地提案処理を開始する（Ｓ１０１）。
【００４４】
目的地提案処理が開始されると、嗜好値計算部１２は目的地履歴１４１ に記憶されている当該ユーザの目的地履歴を取得する（Ｓ１０２）。目的地履歴には各施設の最後の設定日や計算された嗜好値が既に付加されている。
【００４５】
ついで、嗜好値計算部１２は各施設の嗜好値を計算する（Ｓ１０３）。具体的には既に付加されている嗜好値から、各施設の最終の目的設定日から一定期間経過する毎に嗜好値をマイナスしていく。したがって、最終の目的設定日が過去になるほど、嗜好値が減少することとなる。
【００４６】
最終の目的設定日に従い嗜好値をマイナスした後、嗜好値計算部１２は、記憶されている目的地設定履歴について、基準値以上の嗜好値の目的地があるか否かを判定する（Ｓ１０４）。基準値は、例えば、嗜好値の平均、嗜好値が正のもの、又は、嗜好値の上位数件等である。
【００４７】
基準値以上の目的地設定履歴が記憶されていない場合（Ｓ１０３のＮｏ）、ユーザに提案できる施設がないものとして処理を終了する。
【００４８】
基準値以上の目的地設定履歴が記憶されている場合（Ｓ１０３のＹｅｓ）、施設リスト作成部１３は、嗜好値が基準値以上の目的地設定履歴の施設について施設リストを作成する（Ｓ１０５）。施設リストには施設名、ジャンル、嗜好値、目的地の最後の設定日が記載される。
【００４９】
ついで、データ送信部１４はサーバ２に施設リストを送信し、データ受信部１５は各施設の最新の施設情報を取得する（Ｓ１０６）。取得する情報は、例えば施設リストの施設に対し、その施設のイベントの有無、開催期間、イベント内容である。
【００５０】
データ受信部１５は、正常にサーバ２から施設情報を取得できたか否かを確認する（Ｓ１０７）。正常に取得できなかった場合（Ｓ１０７のＮｏ）にはそのまま処理を終了する。なお、再度、サーバ２に施設情報を要求してもよい。
【００５１】
正常に取得した場合（Ｓ１０７のＹｅｓ）、判断部１６はステップＳ１０５で作成した施設リストの嗜好値の高い順に施設情報に変化がないかをチェックする（Ｓ１０８）。施設情報が変化したか否かを判定するのは、何か新しいイベントが開催されているか否かを判定するためである。例えば、その施設の最後の設定日がイベントの開催期間内でない場合には施設情報に変化があると判定する。全ての施設情報に変化がない場合（Ｓ１０８のＮｏ）、判断部１６はそのまま処理を終了する。
【００５２】
施設情報に変化がある場合（Ｓ１０８のＹｅｓ）、判断部１６は施設情報に変化のあった施設の施設情報を表示装置１５０に表示させる（Ｓ１０９）。表示する施設情報は、例えば嗜好値が最も高いものから順に表示する。なお、図４（ａ）に示すように施設情報と共に評価入力ボタンを表示する。
【００５３】
ユーザは施設情報をみて、「提案された施設へ行く」か否か等の評価を評価入力ボタン等から入力する。
【００５４】
ついで、嗜好値計算部１２は「提案された施設へ行く」評価の入力があったか否かを判定する（Ｓ１１０）。「提案された施設へ行く」が選択された場合（Ｓ１１０のＹｅｓ）、嗜好値計算部１２は、選択された施設の嗜好値を増加（例えば、増加量Ｅ）し、目的地履歴１４１を更新する。
【００５５】
また、嗜好値計算部１２は「次回行く」評価の入力があったか否かを判定する（Ｓ１１２）。ユーザから「次回行く」という評価が入力された場合、嗜好値計算部１２は選択された施設の嗜好値をマイナス（例えば、減少量Ｇ）し、目的地履歴１４１
を更新する（Ｓ１１４）。
【００５６】
また、ユーザから「次回行く」という評価が入力されない場合（Ｓ１１２のＮｏ）、嗜好値計算部１２は選択された施設の嗜好値を大幅にマイナス（例えば、減少量Ｆ）し、目的地履歴１４１
を更新する（Ｓ１１３）。
【００５７】
以上のようにして、ユーザの嗜好に応じた施設をユーザに提案することができる。ユーザの嗜好は嗜好値に応じて判定され、嗜好値はユーザからの評価に基づきその度に増減されるのでユーザの嗜好の変化を迅速に反映することができる。また、嗜好値の高い施設のうち施設情報が変化した施設を提案するので、ユーザの好む施設の情報を適切なタイミングで提案できる。
【００５８】
続いて、嗜好値計算部１２が設定された目的地に応じて嗜好値を増減する手順を図５（ｂ）のフローチャート図に基づき説明する。図５（ｂ）では、ユーザがナビシステム１０に所望の目的地を設定した場合の嗜好値の計算について説明する。
【００５９】
ナビシステム１０にユーザが目的地を入力すると、嗜好値計算部１２が嗜好値の計算を開始する（Ｓ２０１）。
【００６０】
嗜好値計算部１２は設定した目的地がある施設と提携している提携駐車場であるか否かを判定する（Ｓ２０２）。提携駐車場であるか否かは、記憶装置１４０の道路地図１４２に目的地の駐車場と関連づけられた施設（以下、提携施設という）があるか否かにより判定できる。提携施設と提携した駐車場でない場合（Ｓ２０２のＮｏ）、ステップＳ２０５に進む。
【００６１】
提携施設と提携した駐車場である場合（Ｓ２０２のＹｅｓ）、目的地履歴１４１に提携施設が記憶されているか否かを判定する（Ｓ２０３）。目的地履歴１４１に提携施設が記憶されていない場合（Ｓ２０３のＮｏ）、ステップＳ２０５に進む。
【００６２】
目的地履歴１４１に提携施設が記憶されている場合、実質的にその提携施設を目的地と設定したことと同等なので、嗜好値計算部１２は目的地履歴１４１の提携施設の嗜好値を増大する（Ｓ２０４）。すなわち、嗜好値計算部１２は、提携施設の嗜好値を増大し、目的地履歴１４１を更新する。増大量は例えばＨである。
【００６３】
このような処理により、駐車場と施設が離れた大型の施設などを利用する場合、ユーザが直接駐車場を目的地として設定しても、提携施設の嗜好値を増大させることができ、ユーザの嗜好を反映して嗜好値を増大できる。
【００６４】
ついで、嗜好値計算部１２は、目的地履歴１４１に今回目的地として設定された施設又は提携施設と同じジャンルの施設が記憶されているか否かを判定する（Ｓ２０５）。設定した目的地と同じジャンル（例えば、映画館）の施設はユーザが嗜好する傾向が強いと判定できるため、目的地履歴１４１に同じジャンルの施設がある場合（Ｓ２０５のＮｏ）、嗜好値計算部１２は目的地履歴１４１の同じジャンルの施設の嗜好値を増大し、更新する（Ｓ２０６）。この場合の増大量は、例えばＨである。
【００６５】
ついで、嗜好値計算部１２は、ステップＳ２０１で設定した目的地の施設についても嗜好値を増大しておく（Ｓ２０７）。この場合の増大量は、例えばＡである。設定された目的地が未だ目的地履歴１４１に記憶されていない場合は、新たに目的地となる施設として登録し、初期の嗜好値（例えば、ゼロ）を設定する。
【００６６】
ついで、ナビＥＣＵ１００は設定された目的地までのルートを探索しルート案内を開始する（Ｓ２０８）。
【００６７】
そして、目的地までルート案内を実施したか否かを判定する（Ｓ２０９）。目的地までルート案内する場合（Ｓ２０９のＹｅｓ）、ユーザの当該施設に対する嗜好が強いと判定できるため、目的地の施設の嗜好値を増大して、目的地履歴１４１を更新する（Ｓ２１０）。この場合の増大量は、例えばＢである。
【００６８】
目的地まで案内が終了せずに途中で案内が終了されたような場合（Ｓ２０９のＮｏ）、ユーザの当該施設に対する嗜好が低いと判定できるので、設定した目的地の施設の嗜好値をマイナスして、目的地履歴１４１を更新する（Ｓ２１１）。この場合の減少量は、例えばＣである。
【００６９】
以上のように、本実施の携帯の情報提供システムによれば、目的地が設定される度にユーザの嗜好値を増減することができるので、最新のユーザの嗜好に基づき施設を提供することができる。嗜好値の増減量は、嗜好の程度を示す指標（目的地まで到達するか否か等）により決定するので、ユーザの嗜好を正確に反映した嗜好値とすることができる。また、ユーザが駐車場を目的地に設定する場合も、提携した施設の嗜好値を増大することができるので、ユーザが普段ナビシステム１０を利用する形態でも施設の嗜好値を正確に増大することができる。さらに、設定した施設と同じジャンルの施設の嗜好値を一律に増大できるので、ユーザの嗜好する可能性の高い施設を提供しやすくすることができる。
【図面の簡単な説明】
【００７０】
【図１】情報提供システムの全体構成図である。
【図２】ナビシステム、サーバのブロック図である。
【図３】ナビＥＣＵ、サーバの機能図である。
【図４】表示される施設情報、目的地履歴の一例を示す図である。
【図５】嗜好値に基づきユーザの嗜好に合った施設を提案するフローチャート図、設定された目的地に応じて嗜好値を増減するフローチャート図である。
【符号の説明】
【００７１】
１      ネットワーク
２      サーバ
３      中継器
４      車両
１０    ナビシステム
１１    起動処理部
１２    嗜好値計算部
１３    施設リスト作成部
１４    データ送信部
１５    データ受信部
１６    判断部  
２１    受信部  
２２    送信部
２３    取得部
１００  ナビＥＣＵ
１１０  通信ユニット
１２０  ＧＰＳ受信機
１３０  入力装置
１４０  記憶装置
１５０  表示装置
【図１】
0004736960.tif 000002
【図２】
0004736960.tif 000003
【図３】
0004736960.tif 000004
【図４】
0004736960.tif 000005
【図５】
0004736960.tif 000006